(57)【要約】【課題】横アンカー筋の干渉を防止しつつ組積毎に振動騒音を発生することなく横アンカー筋を後付けする。【解決手段】床１の上面、柱２の内側及び梁３の下面に鋼板５を接着し、かつ床１と梁３に接着される鋼板５には，コンクリートブロック９の左右継目位置に対応する位置に縦アンカー筋７を突設する一方で、柱２に接着される鋼板５にはコンクリートブロック９の上下継目位置に対応する位置にナット８を横設し、柱２間に各コンクリートブロック９を横列させた状態で、ナット８に横アンカー筋１０をねじ込む作業を一段から最上段まで行う。【選択図】      図５
2004250904.tif 000002
【特許請求の範囲】
【請求項１】
柱梁架構を構成する床、一対の柱、及び梁により囲われた内部空間を縦横に区画し、各区画に応じた縦横長寸法であって、その上下左右に凹溝を形成したプレキャストコンクリートブロックを組積して耐震壁を構築する方法において、
前記床の上面、柱の内側及び梁の下面にそれぞれに鋼板を接着し、かつ床と梁に接着される鋼板には，前記コンクリートブロックの左右継目位置に対応する位置に縦アンカー筋を突設する一方で、柱に接着される鋼板には前記コンクリートブロックの上下継目位置に対応する位置にナットを横設してなり、
前記柱間に各コンクリートブロックを横列させた状態で、前記ナットに横アンカー筋をねじ込み固定する作業を一段目から最上段まで繰返すことを特徴とする既存建物の耐震補強方法。
【発明の詳細な説明】
【０００１】
【発明の属する技術分野】
本発明は、既存建物の耐震補強方法に関し、特に小型プレキャストコンクリートブロックを組積して壁面を耐震補強する方法の改良に関する。
【０００２】
【従来の技術】
既存建物の耐震補強工事において、溝形鋼や、平鋼、Ｌ形鋼にアンカー筋を溶接し、アンカー筋を内向きに配置した状態で鋼材を既存の柱梁架構の内面に接着し、その後鋼材で囲われた内側に鉄筋籠などを配筋した上で、柱梁架構の両側に型枠を配置し、コンクリート打設により耐震壁を構築する方法がある（特許文献１）。この方法では、後施工アンカー打設に伴う振動騒音の発生がない反面、型枠などの建込作業や、コンクリート打設とその養生などにより施工期間が長くなり、加えて休日などを利用した工事となるため、生コンなど資材調達の面での課題があった。
【０００３】
これに対し、コンクリートブロックを組積して耐震壁とする方法も提案されている（特許文献２）。この方法では、型枠が不要である点や、コンクリートブロック間の隙間にグラウトを充填すればよいため、多量のコンクリートを必要としない点で、工期短縮に有効である。ところが、その反面柱及び梁の内側にコンクリートブロックのピッチに応じたアンカー筋を後施工により打設する必要があり、振動騒音の面で課題があった。
【０００４】
したがって、前者の鋼材接着手法によりアンカーを柱梁架構の内側に固定した状態で柱架構の内側に、後者の手法によりコンクリートブロックを組積するようにできれば、両者の利点を享有できる。
【０００５】
【特許文献１】
特開２００１−２７０４８公報
【０００６】
【特許文献２】
特開平１１−１３２９１号公報
【０００７】
【発明が解決しようとする課題】
しかしながら実際には、特に隅角部や柱際において、アンカー筋はコンクリートブロックに干渉し、組積し難いものとなり、実用化は不可となる。それ故、ブロック組積方法では、後施工によるアンカー打設作業が必須であり、これにより振動、騒音が発生することは仕方がないものとされていた。
【０００８】
本発明は、以上の技術課題を解決するものであり、その目的は、コンクリートブロックを組積みして耐震壁を構築するにあたり、横アンカー筋の干渉を防止しつつ、組積毎に振動騒音を発生することなく横アンカー筋を後付けできるようにした既存建物の耐震補強方法を提供するものである。
【０００９】
【課題を解決するための手段】
前記目的を達成するため、本発明方法は、柱梁架構を構成する床、一対の柱、及び梁により囲われた内部空間を縦横に区画し、各区画に応じた縦横長寸法であって、その上下左右に凹溝を形成したプレキャストコンクリートブロックを組積して耐震壁を構築する方法において、前記床の上面、柱の内側及び梁の下面にそれぞれに鋼板を接着し、かつ床と梁に接着される鋼板には，前記コンクリートブロックの左右継目位置に対応する位置に縦アンカー筋を突設する一方で、柱に接着される鋼板には前記コンクリートブロックの上下継目位置に対応する位置にナットを横設してなり、前記柱間に各コンクリートブロックを横列させた状態で、前記ナットに横アンカー筋をねじ込み固定する作業を一段目から最上段まで繰返すことを特徴とする。
【００１０】
したがって、本発明方法にあっては、コンクリートブロックの組積に際しては、横アンカー筋による干渉がなく、その後ナットに横アンカー筋をねじ込めばよいため、コンクリートブロックの組積による利点を享有しつつ後打施工による騒音、振動の発生を防止できる。
【００１１】
【発明の実施の形態】
以下、本発明の好ましい実施の形態につき、添付図面を参照して詳細に説明する。図１〜図６は本発明方法の施工手順を示す。
【００１２】
先ず，図１は耐震補強壁施工前の柱梁架構を示し、床１とその両側に配置された柱２と梁３によって囲われる扁平長方形の空間４内にコンクリートブロック造の耐震補強壁を構築しようとするものである。
【００１３】
空間４の面積が特定されたなら、図２の想像線で示す縦横の区画線により、空間４を縦複数に区画し、各区画を後述するプレキャストコンクリートブロックの組積空間とする。次いで、組積空間を構成する床１の上面、両柱２，２の向かい合う面及び梁３の下面に鋼材５を接着剤６を介して貼着する。鋼材５としては、図示のごとく平鋼でもよいが、溝形鋼、アングル鋼なども使用可能であることは勿論である。
【００１４】
床１の表面に取付けた鋼材５及び梁３の下面に取付けた鋼材５には、その縦区画線上に沿って縦アンカー筋７の基部が溶接によって突設固定されている。また、図３の一部に拡大して示すように、柱２に接着される鋼材５には横区画線に沿って長ナット８の基部が溶接によって固定されている。
【００１５】
図４は、前述のコンクリートブロック９を示すもので、その外形は前記縦横の区画線で囲われた大きさの長方形ブロックであって、その前後上下にはそれぞれ縦方向及び横方向に、隣合うブロック９との継目位置において配筋を縦通及び横通させるための半円状の目地溝９ａが形成されている。
【００１６】
次に、以上におけるコンクリートブロック９の組積手順を図５を用いて説明する。まず、（ａ）に示すように、最初のコンクリートブロック９を床１と柱２の隅角部に設置する。このとき、長ナット８はコンクリートブロック９の溝９ａより突出せず、また床側から突出する縦アンカー筋７も溝９ａの半円中心に突出しているため、この位置で干渉されることなくコンクリートブロック９を設置できる。
【００１７】
その後、次々とコンクリートブロック９を他方側の柱位置まで横列状態に配置できる。この作業において、コンクリートブロック９の厚みは鋼材５の幅と等しいため、鋼材５の幅に合わせてコンクリートブロック９を配置すれば、組積時における正確な配列ができる。
【００１８】
一段目の配列完了後は、（ｂ）に示すように、長ナット８に横アンカー筋１０をねじ込み固定する。このねじ込み作業は、コンクリートブロック９の上部側目地溝９ａによる空間内で行えるため無理なく行うことができる。
【００１９】
その後、縦アンカー筋７に縦筋１１を接続する。接続作業は番線、溶接などによって行うことができる。また、横アンカー筋１０にも（ｃ）に示すように、横筋１２を接続し、これら縦横筋１１，１２の交差位置を番線などで結合した後、コンクリートブロック９の溝９ａ内に目地コンクリートをグラウトすれば、第一段目のコンクリートブロック９列が完成する。
【００２０】
さらに、その後、（ｃ）に示すように、二段目のコンクリートブロック９の組積を行うが、少なくとも柱位置の隅角部位置にコンクリートブロック９を配置した後に長ナット８に横アンカー筋１０をねじ込んだ後は第一段目と同様な手順で組積が可能であり、以後最上段の梁３の位置まで組積と配筋及びグラウト充填作業の交互繰返しが可能となるのである。
【００２１】
図６、図７は、施工完了後の耐震補強壁を示すものである。同図において、各コンクリートブロック９の上下左右の継目位置中心には縦筋１１，横筋１２が格子状に配列されているとともに、各コンクリートブロック９の溝９ａ及び目地位置には前述のグラウト１４が充填され、各コンクリートブロック９同士を強固に結合した一枚の耐震壁を形成している。
【００２２】
【発明の効果】
以上の説明により明らかなように、本発明による既存建物の耐震補強方法によれば、コンクリートブロックを組積みして耐震壁を構築するにあたり、横アンカー筋の干渉を防止しつつ組積毎に、振動騒音を発生することなく横アンカー筋を後付けできる。
【図面の簡単な説明】
【図１】本発明方法が適用される柱梁架構の正面図である。
【図２】同柱梁架構内部を縦横複数の区画に区画するとともに、それぞれの面に鋼材を建て込んだ状態を示す正面図である。
【図３】図２のＡ−Ａ線における一部拡大部分を含む断面図である。
【図４】プレキャストコンクリートブロックの三面図である。
【図５】（ａ）〜（ｃ）はコンクリートブロックの組積手順を示す説明図である。
【図６】耐震補強壁の完成状態を示す正面図である。
【図７】図６のＢ−Ｂ線における断面図である。
【符号の説明】
１  床
２  柱
３  梁
４  内部空間
５  鋼板
６  接着剤
７  縦アンカー筋
８  長ナット
９  プレキャストコンクリートブロック
９ａ  目地溝
１０  横アンカー筋
【図１】
2004250904.tif 000003
【図２】
2004250904.tif 000004
【図３】
2004250904.tif 000005
【図４】
2004250904.tif 000006
【図５】
2004250904.tif 000007
【図６】
2004250904.tif 000008
【図７】
2004250904.tif 000009